【手続補正書】
【提出日】平成15年11月25日(2003.11.25)
【手続補正１】
【補正対象書類名】明細書
【補正対象項目名】特許請求の範囲
【補正方法】変更
【補正の内容】
【特許請求の範囲】
【請求項１】
カメラ手段で撮影して得られた映像信号と音声取込手段で得られた音声信号を同時に送信し、受信された映像信号を表示手段で画面表示すると共に、受信された音声信号を音声発生手段で音声出力する情報伝送装置であって、
上記表示手段は、表示画面に接眼して表示内容が認識可能な接眼表示手段を含むことを特徴とする情報伝送装置。
【請求項２】
カメラ手段で撮影して得られた映像信号と音声取込手段で得られた音声信号を同時に送信し、受信された映像信号を表示手段で画面表示すると共に、受信された音声信号を音声発生手段で音声出力する情報伝送装置であって、
上記表示手段は、表示画面に接眼して表示内容が認識可能な接眼表示手段と、表示画面に離眼して表示内容が認識可能な離眼表示手段とを含むことを特徴とする情報伝送装置。
【請求項３】
接眼状態では、上記接眼表示手段の光軸と、上記音声発生手段又は装置本体とが平行方向に配置されることを特徴とする請求項１又は２記載の情報伝送装置。
【請求項４】
接眼状態では、上記接眼表示手段が目の近傍に配置され、上記音声発生手段が耳の近傍に配置されることを特徴とする請求項１又は２記載の情報伝送装置。
【請求項５】
上記接眼表示手段を装置本体に開閉可能に設け、
上記接眼表示手段が開いた状態では、上記接眼表示手段の光軸と、上記音声発生手段又は装置本体とが平行方向に配置され、上記接眼表示手段が閉じた状態では、上記接眼表示手段の光軸と、上記音声発生手段又は装置本体とが垂直方向に配置されることを特徴とする請求項１又は２記載の情報伝送装置。
【請求項６】
上記音声発生手段を装置本体内部に収納可能としたことを特徴とする請求項１又は２記載の情報伝送装置。
【請求項７】
上記接眼表示手段と上記カメラ手段の光軸が同一方向であることを特徴とする請求項１又は２記載の情報伝送装置。
【請求項８】
上記接眼表示手段は、画像拡大効果のある反射面を有する少なくとも１つのプリズム型光学素子を含むことを特徴とする請求項１又は２記載の情報伝送装置。
【請求項９】
上記接眼表示手段は、表示画面の裏面を含む外景を同時に観察可能とするシースルー機能を有することを特徴とする請求項１又は２記載の情報伝送装置。
【請求項１０】
上記カメラ手段は、被写体を撮影して映像信号を得る少なくとも１つの撮影手段を含み、
上記撮影手段を装置本体に着脱可能に設けることを特徴とする請求項１又は２記載の情報伝送装置。
【請求項１１】
上記カメラ手段は、複数個の上記撮影手段で得られた複数の映像信号を切り換えて又は合成して出力することを特徴とする請求項１０記載の情報伝送装置。
【請求項１２】
上記カメラ手段は、撮影して得られた映像信号を反転させる反転機能を有することを特徴とする請求項１又は２記載の情報伝送装置。
【請求項１３】
上記接眼表示手段は、上記カメラ手段で得られた映像信号と、受信された映像信号との何れか一方を第１の画面に配置し、他方を第２の画面に配置した合成画面を表示し、上記第１及び第２の各画面への映像信号の配置を切り換える画面切換機能を有することを特徴とする請求項１又は２記載の情報伝送装置。
【請求項１４】
上記接眼表示手段を装置本体に収納可能に設け、
上記接眼表示手段は、収納状態において、所定の光学素子を介して表示画面を出力することにより、上記離眼表示手段として機能することを特徴とする請求項２記載の情報伝送装置。
【請求項１５】
接眼状態では、上記接眼表示手段の光軸と、上記音声発生手段又は装置本体とが平行方向に配置され、
離眼状態では、上記接眼表示手段の光軸と、上記音声発生手段又は装置本体とが垂直方向に配置され、上記接眼表示手段の表示画面が装置本体の光学系を介して出力されることにより、その表示画面の内容を離眼した状態で観察可能となることを特徴とする請求項２記載の情報伝送装置。
【請求項１６】
接眼状態では目線と同一方向に、離眼状態では上記離眼表示手段の光軸と同一方向となるように、上記カメラ手段を配置する、又は上記カメラ手段の撮影方向を変換することを特徴とする請求項２記載の情報伝送装置。
【請求項１７】
上記接眼表示手段を装置本体に開閉可能に設け、
上記接眼表示手段の開閉動作に連動して、上記カメラ手段の撮影方向を変換することを特徴とする請求項２記載の情報伝送装置。
【請求項１８】
上記接眼表示手段を装置本体に開閉可能に設け、
上記接眼表示手段の開閉動作に連動して、接眼状態では目線と同一方向に、離眼状態では上記離眼表示手段の光軸と同一方向となるように、上記カメラ手段の撮影方向を変換することを特徴とする請求項２記載の情報伝送装置。
【手続補正２】
【補正対象書類名】明細書
【補正対象項目名】００２０
【補正方法】変更
【補正の内容】
【００２０】
【課題を解決するための手段】
第１の発明は、カメラ手段で撮影して得られた映像信号と音声取込手段で得られた音声信号を同時に送信し、受信された映像信号を表示手段で画面表示すると共に、受信された音声信号を音声発生手段で音声出力する情報伝送装置であって、上記表示手段は、表示画面に接眼して表示内容が認識可能な接眼表示手段を含むことを特徴とする。
第２の発明は、カメラ手段で撮影して得られた映像信号と音声取込手段で得られた音声信号を同時に送信し、受信された映像信号を表示手段で画面表示すると共に、受信された音声信号を音声発生手段で音声出力する情報伝送装置であって、上記表示手段は、表示画面に接眼して表示内容が認識可能な接眼表示手段と、表示画面に離眼して表示内容が認識可能な離眼表示手段とを含むことを特徴とする。
第３の発明は、上記第１又は第２の発明において、接眼状態では、上記接眼表示手段の光軸と、上記音声発生手段又は装置本体とが平行方向に配置されることを特徴とする。
第４の発明は、上記第１又は第２の発明において、接眼状態では、上記接眼表示手段が目の近傍に配置され、上記音声発生手段が耳の近傍に配置されることを特徴とする。
第５の発明は、上記第１又は第２の発明において、上記接眼表示手段を装置本体に開閉可能に設け、上記接眼表示手段が開いた状態では、上記接眼表示手段の光軸と、上記音声発生手段又は装置本体とが平行方向に配置され、上記接眼表示手段が閉じた状態では、上記接眼表示手段の光軸と、上記音声発生手段又は装置本体とが垂直方向に配置されることを特徴とする。
第６の発明は、上記第１又は第２の発明において、上記音声発生手段を装置本体内部に収納可能としたことを特徴とする。
第７の発明は、上記第１又は第２の発明において、上記接眼表示手段と上記カメラ手段の光軸が同一方向であることを特徴とする。
第８の発明は、上記第１又は第２の発明において、上記接眼表示手段は、画像拡大効果のある反射面を有する少なくとも１つのプリズム型光学素子を含むことを特徴とする。
第９の発明は、上記第１又は第２の発明において、上記接眼表示手段は、表示画面の裏面を含む外景を同時に観察可能とするシースルー機能を有することを特徴とする。
第１０の発明は、上記第１又は第２の発明において、上記カメラ手段は、被写体を撮影して映像信号を得る少なくとも１つの撮影手段を含み、上記撮影手段を装置本体に着脱可能に設けることを特徴とする。
第１１の発明は、上記第１０の発明において、上記カメラ手段は、複数個の上記撮影手段で得られた複数の映像信号を切り換えて又は合成して出力することを特徴とする。
第１２の発明は、上記第１又は第２の発明において、上記カメラ手段は、撮影して得られた映像信号を反転させる反転機能を有することを特徴とする。
第１３の発明は、上記第１又は第２の発明において、上記接眼表示手段は、上記カメラ手段で得られた映像信号と、受信された映像信号との何れか一方を第１の画面に配置し、他方を第２の画面に配置した合成画面を表示し、上記第１及び第２の各画面への映像信号の配置を切り換える画面切換機能を有することを特徴とする。
第１４の発明は、上記第２の発明において、上記接眼表示手段を装置本体に収納可能に設け、上記接眼表示手段は、収納状態において、所定の光学素子を介して表示画面を出力することにより、上記離眼表示手段として機能することを特徴とする。
第１５の発明は、上記第２の発明において、接眼状態では、上記接眼表示手段の光軸と、上記音声発生手段又は装置本体とが平行方向に配置され、離眼状態では、上記接眼表示手段の光軸と、上記音声発生手段又は装置本体とが垂直方向に配置され、上記接眼表示手段の表示画面が装置本体の光学系を介して出力されることにより、その表示画面の内容を離眼した状態で観察可能となることを特徴とする。
第１６の発明は、上記第２の発明において、接眼状態では目線と同一方向に、離眼状態では上記離眼表示手段の光軸と同一方向となるように、上記カメラ手段を配置する、又は上記カメラ手段の撮影方向を変換することを特徴とする。
第１７の発明は、上記第２の発明において、上記接眼表示手段を装置本体に開閉可能に設け、上記接眼表示手段の開閉動作に連動して、上記カメラ手段の撮影方向を変換することを特徴とする。
第１８の発明は、上記第２の発明において、上記接眼表示手段を装置本体に開閉可能に設け、上記接眼表示手段の開閉動作に連動して、接眼状態では目線と同一方向に、離眼状態では上記離眼表示手段の光軸と同一方向となるように、上記カメラ手段の撮影方向を変換することを特徴とする。


【手続補正３】
【補正対象書類名】明細書
【補正対象項目名】００２１
【補正方法】変更
【補正の内容】
【００２１】
【作用】
第１の発明によれば、接眼表示手段には、目を近づけて表示内容を確認できる画面が表示される。これにより、接眼表示手段を開閉式薄型構造等として、接眼表示手段を用いた使用状態では、耳と目の近傍に、音声発生手段と接眼表示手段を各々配置することができる。
第２の発明によれば、接眼表示手段には、目を近づけて表示内容を確認できる画面が表示される。また、離眼表示手段には、接眼表示手段に画面表示された内容を、目を離して確認できる画面が表示される。これにより、接眼表示手段を用いた使用状態では、耳と目の近傍に、音声発生手段と接眼表示手段を各々配置することができる。また、必要に応じて、離眼表示手段により目を離して使用することもできる。
第３の発明によれば、上記第１又は２の発明において、接眼表示手段を用いた使用状態（接眼状態）では、接眼表示手段の光軸と、音声発生手段又は装置本体とが平行方向に配置される。これにより、接眼表示手段を開閉式薄型構造等として、接眼状態では、耳と目の近傍に、音声発生手段と接眼表示手段を各々配置することができる。
第４の発明によれば、上記第１又は２の発明において、接眼表示手段を用いた使用状態（接眼状態）では、接眼表示手段が目の近傍に配置され、音声発生手段が耳の近傍に配置される。これにより、接眼表示手段を開閉式薄型構造等として、接眼状態では、耳と目の近傍に、音声発生手段と接眼表示手段を各々配置することができる。
第５の発明によれば、上記第１又は２の発明において、接眼表示手段が開かれ接眼表示手段を用いた使用状態（接眼状態）となると、接眼表示手段の光軸と、音声発生手段又は装置本体とが平行方向に配置される。また、接眼表示手段が閉じられると、接眼表示手段の光軸と、音声発生手段又は装置本体とが垂直方向に配置される。これにより、接眼表示手段を開閉式薄型構造として、接眼状態では、耳と目の近傍に、音声発生手段と接眼表示手段を各々配置することができる。
第６の発明によれば、上記第１又は２の発明において、使用状態に応じて、音声発生手段は、装置本体内部に収納される。これにより、収納状態での装置サイズを小型化することができる。
第７の発明によれば、上記第１又は２の発明において、カメラ手段は、接眼表示手段の光軸と同一方向に設置される。これにより、使用者以外の被写体も撮影することができる。
第８の発明によれば、上記第１又は２の発明において、１つ又は複数のプリズム型光学素子を接眼表示手段に採用することにより、接眼表示手段には、拡大された映像が画面表示される。これにより、接眼表示手段の厚みを薄くすることができると共に、収差、特に色収差を小さく抑えつつ、大画面で映像を確認することができる。
第９の発明によれば、上記第１又は２の発明において、画像拡大効果を持つ反射面を有するプリズム型光学素子と、外景観察補正用のプリズム素子とを、ハーフミラーを介して装着する等することにより、接眼表示手段からは、表示画面と共に外景も表示出力される。これにより、表示画面と共に外の情景をも観察することができる。
第１０の発明によれば、上記第１又は２の発明において、１つ又は複数の撮影手段は、様々な撮影位置に設置可能となる。これにより、様々なアングルの撮影を行うことができる。
第１１の発明によれば、上記第１０の発明において、複数の撮像手段は、複数の被写体を撮影して、複数の映像信号を得る。上記複数の映像信号は、切り換えられて送信される。又は、上記複数の映像信号は、合成されて送信される。これにより、複数画面を切り換えたり、合成して送信することもできる。
第１２の発明によれば、上記第１又は２の発明において、被写体を撮影して得られた映像信号は、反転機能により、上記被写体の向きが上下又は左右等に反転した映像信号となって送信される。これにより、ミラーを介した撮影や、カメラ手段を逆さにした撮影等を行う場合も、正常な向きの映像を送信することができる。
第１３の発明によれば、上記第１又は２の発明において、接眼表示手段において、第１の画面に、カメラ手段で得られた映像信号と、受信された映像信号との何れか一方が表示され、上記第１の画面サイズと同一サイズ又は異なるサイズの第２の画面に、他方が表示される。また、上記第１及び第２の各画面へ表示される映像信号は、画像切換機能により切り換えられる。これにより、使用者が撮影した映像と、受信された映像を同時に確認することができる。
第１４の発明によれば、上記第２の発明において、接眼表示手段が装置本体に収納され、離眼表示手段を用いた使用状態では、接眼表示手段の表示画面が所定の光学素子を介して表示出力される。これにより、接眼表示手段を用いた使用状態では、耳と目の近傍に、音声発生手段と接眼表示手段を各々配置することができ、接眼表示手段が装置本体に収納され、離眼表示手段を用いた使用状態では、接眼表示手段の表示画面を光学素子を介して目を離して確認することができる。
第１５の発明によれば、上記第２の発明において、接眼表示手段を用いた使用状態（接眼状態）では、接眼表示手段の光軸と、音声発生手段又は装置本体とが平行方向に配置される。また、離眼表示手段を用いた使用状態（離眼状態）では、接眼表示手段の光軸と、音声発生手段又は装置本体とが垂直方向に配置され、接眼表示手段の表示画面が装置本体の光学系を介して表示出力される。これにより、接眼状態では、耳と目の近傍に、音声発生手段と接眼表示手段を各々配置することができ、離眼状態では、接眼表示手段の表示画面を光学素子を介して目を離して確認することができる。
第１６の発明によれば、上記第２の発明において、接眼表示手段を用いた使用状態（接眼状態）では、カメラ手段を目線と同一方向に配置する、又はカメラ手段の撮影方向を目線と同一方向に変化させる。また、離眼表示手段を用いた使用状態（離眼状態）では、カメラ手段を離眼表示手段の光軸と同一方向に配置する、又はカメラ手段の撮影方向を離眼表示手段の光軸と同一方向に変化させる。これにより、使用状態に応じて、カメラ手段の撮影方向を変えることができる。
第１７の発明によれば、上記第２の発明において、カメラ手段の撮影方向は、接眼表示手段の開閉動作に連動して変化する。これにより、接眼表示手段を開いて使用する状態では、カメラ手段の撮影方向を目線と同一方向に変えることができ、接眼表示手段を閉じて使用する状態では、カメラ手段の撮影方向を離眼表示手段の光軸と同一方向に変えることができる。
第１８の発明によれば、上記第２の発明において、接眼表示手段を開いて使用する状態（接眼状態）では、カメラ手段の撮影方向を目線と同一方向に変化させる。また、接眼表示手段を閉じて離眼表示手段を用いて使用する状態（離眼状態）では、カメラ手段の撮影方向を離眼表示手段の光軸と同一方向に変化させる。これにより、使用状態に応じて、カメラ手段の撮影方向を変えることができる。